(57)【要約】      （修正有）【課題】搬送や保管が効率的かつ容易なドレン水蒸散ユニットおよび当該ドレン水蒸散ユニットを配置したドレン水蒸散装置を提供する。【解決手段】対向する辺に嵌合溝２７を形成した矩形の蒸散板２４を複数配列させ、ドレン水を吸収して蒸発させるドレン水蒸散ユニット２３であって、ドレン水蒸散ユニット２３は、嵌合溝２７に嵌合し、蒸散板２４を所定間隔で配列させる複数の溝２８を設けたスペーサー２５と、嵌合溝２７に嵌合したスペーサー２５の対向する端部同士を連結する連結部材２６と、を備え、嵌合溝２７の幅は、蒸散板２４をスペーサー２５に対して傾斜させて、ドレン水蒸散ユニット２３を折り畳むことができる間隔であることを特徴とする。【選択図】図２
0003199834.tif 000002
【実用新案登録請求の範囲】
【請求項１】
対向する辺に嵌合溝を形成した矩形の蒸散板を複数配列させ、ドレン水を吸収して蒸発させるドレン水蒸散ユニットであって、
前記ドレン水蒸散ユニットは、前記嵌合溝に嵌合し、前記蒸散板を所定間隔で配列させる複数の溝を設けたスペーサーと、前記嵌合溝に嵌合した前記スペーサーの対向する端部同士を連結する連結部材と、を備え、
前記嵌合溝の幅は、前記蒸散板を前記スペーサーに対して傾斜させて、前記ドレン水蒸散ユニットを折り畳むことができる間隔であることを特徴とするドレン水蒸散ユニット。
【請求項２】
前記スペーサーの厚さに対する前記嵌合溝の幅の比率は、１．１ないし２であることを特徴とする請求項１に記載のドレン水蒸散ユニット。
【請求項３】
前記蒸散板の配列方向両端側の蒸散板と接するように、前記スペーサーに装着される補強部材をさらに備えたことを特徴とする請求項１または２に記載のドレン水蒸散ユニット。
【請求項４】
請求項１ないし３のいずれか１項に記載のドレン水蒸散ユニットをドレン水受け部材内に配置したことを特徴とするドレン水蒸散装置。
【考案の詳細な説明】
【技術分野】
【０００１】
本考案は、ドレン水蒸散（蒸発）技術に関し、より詳細には、冷却装置から発生する結露水や蒸気凝縮水等のドレン水を吸収、蒸発および気化処理するドレン水蒸散技術に関する。
【背景技術】
【０００２】
従来から、例えば、冷蔵庫や冷凍ショーケース等を使用した際に発生するドレン水を吸収、蒸発および気化させるドレン水蒸散装置として、複数の蒸散板（蒸発板）を所定間隔で配列させたドレン水蒸散ユニットをドレン水受皿内に配置したものが知られている。このドレン水蒸散ユニットに配列させた蒸散板は、合成繊維や紙などで構成されているので、変形に対する強度を向上させるために、さまざまな補強方法が検討されている。
【０００３】
例えば、特許文献１には、帯状の補強部材を蒸散板の横側面に貼り付ける方法、および、複数の蒸散板の横側面に上側差込溝、下側差込溝を設け、それらの差込溝に補強差込板を水平になるように差し込む方法、が記載されている。
【０００４】
さらに、特許文献１では、蒸散板の横壁の少なくとも上下２カ所に水平方向に差込溝を形成し、その上側差込溝、下側差込溝に差し込む補強枠体を設け、その補強枠体は、上側差込溝に差し込まれる上側差込辺部と、下側差込溝に差し込まれる下側差込辺部と、上側差込辺部と下側差込辺部の前端部および後端部を繋ぐ前側接続辺部および後側接続辺部とを備えたドレン水蒸散装置が提案されている。特許文献１に記載のドレン水蒸散装置は、上記構成により、ドレン水蒸散装置全体を菱形に変形させるような力や、上下に押しつぶすような方向の力に対して強い耐性を有し、変形に対する強度を向上させることができるとされている。
【先行技術文献】
【特許文献】
【０００５】
【特許文献１】特開２００４−５３０４９号公報
【考案の概要】
【考案が解決しようとする課題】
【０００６】
しかしながら、剛性の補強部材を蒸散板に貼り付けたり差し込んだりしてドレン水蒸散ユニットを固定すると、ドレン水蒸散ユニットを折り畳むことができないため、ドレン水蒸散ユニットおよびドレン水蒸散装置の搬送や保管の際に場所を取ってしまう問題がある。特に、搬送時に固定された形状のドレン水蒸散ユニットおよびドレン水蒸散装置を複数運ぶ為には大型のトラック等が必要になり、作業効率が悪く、コストもかかってしまうという問題もある。本考案は、このような問題に鑑みてなされたもので、その目的とするところは、搬送や保管が効率的かつ容易なドレン水蒸散ユニットおよびドレン水蒸散装置を提供することにある。
【課題を解決するための手段】
【０００７】
本考案は、このような目的を達成するために、対向する辺に嵌合溝を形成した矩形の蒸散板を複数配列させ、ドレン水を吸収して蒸発させるドレン水蒸散ユニットであって、ドレン水蒸散ユニットは、嵌合溝に嵌合し、蒸散板を所定間隔で配列させる複数の溝を設けたスペーサーと、嵌合溝に嵌合したスペーサーの対向する端部同士を連結する連結部材と、を備え、嵌合溝の幅は、蒸散板をスペーサーに対して傾斜させて、ドレン水蒸散ユニットを折り畳むことができる間隔であることを特徴とする。
【考案の効果】
【０００８】
以上説明したように、本考案によれば、搬送や保管が効率的かつ容易なドレン水蒸散ユニットおよびドレン水蒸散装置を提供することができる。
【図面の簡単な説明】
【０００９】
【図１】本考案の一実施形態に係るドレン水蒸散装置を備えた冷凍ショーケースを示す斜視図である。
【図２】本考案の一実施形態に係るドレン水蒸散装置を示す斜視図である。
【図３】本考案の一実施形態に係るドレン水蒸散ユニットの上面図である。
【図４】本考案の一実施形態に係るドレン水蒸散ユニットの正面図である。
【図５】本考案の一実施形態に係るドレン水蒸散ユニットの側面図である。
【図６】本考案の一実施形態に係るドレン水蒸散ユニットの上面の一部を拡大した拡大図である。
【図７】本考案の一実施形態に係るドレン水蒸散ユニットの正面の一部を拡大した拡大図である。
【図８】本考案の一実施形態に係るドレン水蒸散ユニットの側面の一部を拡大した拡大図である。
【図９】本考案の一実施形態に係るドレン水蒸散ユニットを折り畳んだ状態を示す図である。
【図１０】本考案の一実施形態に係るドレン水蒸散ユニットに補強部材を装着した斜視図である。
【図１１】本考案の他の実施形態に係るドレン水蒸散ユニットのスペーサーに樹脂片を装着した斜視図である。
【考案を実施するための形態】
【００１０】
以下、図面を参照しながら本考案の実施形態について詳細に説明する。しかしながら、本考案はこれらの実施形態のみに限らず、本考案の概念に帰属する他のドレン水蒸散ユニットおよびドレン水蒸散装置も包含するものである。
【００１１】
［実施形態１］
図１は、本考案の実施形態１に係るドレン水蒸散（蒸発）装置を備えた冷凍ショーケースを示す斜視図である。図１を用いて、本実施形態に係る冷凍ショーケースについて説明する。
【００１２】
本実施形態の冷凍ショーケース１１は、全体が略直方体の形状であり、例えば、スーパーやコンビニエンスストア内等で商品を陳列するのに用いられる。冷凍ショーケース１１は、前面が開放され、側面から見た形状がコ字形に形成された商品陳列部１２と、商品陳列部１２を適当な高さに配置する架台部１３とから構成されている。商品陳列部１２は、天井部１４で覆われ、背面部１５に取り付けられた複数の陳列棚１６が上下方向に配列されている。また、架台部１３の内部には、冷凍機（図示せず）および冷凍機に併設されたドレン水蒸散装置が、例えば、特開２００２−３５００３７に記載されているように周知の配置で内蔵されている。
【００１３】
冷凍ショーケース１１には結露水や蒸気凝縮水等のドレン水が発生し、発生したドレン水はドレン水蒸散装置に排出される。ただし、一部のショーケースには、ショーケースの商品陳列部自体にドレン水が溜まる受け皿があり、ドレン水をオーバーブローさせないよう、早急にドレン水を蒸発させるため、ドレン水蒸散装置内に吸水性のドレン水蒸散ユニットが設置され、ドレン水を吸水、蒸発および気化させている。
【００１４】
図２は、本実施形態に係るドレン水蒸散装置を示す斜視図である。図３は、本実施形態に係るドレン水蒸散ユニットの上面図である。図４は、本実施形態に係るドレン水蒸散ユニットの正面図である。図５は、本実施形態に係るドレン水蒸散ユニットの側面図である。図２ないし図５を用いて、本実施形態に係るドレン水蒸散装置およびドレン水蒸散ユニットの構成を説明する。
【００１５】
冷凍ショーケース１１に周知の配置で備えられるドレン水蒸散装置２１は、冷凍ショーケース１１内に発生したドレン水を受けるドレン水受け部材としてのドレン水受皿２２と、ドレン水受皿２２に溜ったドレン水を蒸散させるドレン水蒸散ユニット２３と、を含んで構成される。
【００１６】
ドレン水蒸散ユニット２３は、複数枚配列させた蒸散板（蒸発板）２４と、スペーサー２５と、連結部材であるゴム２６と、で形成されている。ドレン水蒸散ユニット２３は、毛細管現象で吸水して蒸散させる吸水性の素材、例えば紙材で構成された、複数枚の矩形の蒸散板２４を配列させている。ここで、矩形とは、直角四辺形のことをいい、長方形だけでなく正方形も含む。なお、蒸散板２４は、矩形に限らず平行四辺形であってもよい。
【００１７】
蒸散板２４の素材としては、不織布、紙などを使用することができる。不織布は、毛細管現象によって吸水に寄与する（吸水性を有する）繊維を主成分するものが好ましい。前記繊維としては、(i)親水性繊維、(ii)合成繊維、などが挙げられる。(i)親水性繊維としては、好ましくは、セルロース系繊維である。セルロース系繊維の例として、木材パルプ、綿、麻、毛、絹などの天然繊維、およびレーヨン、キュプラなどの再生繊維（半合成繊維）が挙げられる。(ii)合成繊維としては、ポリエチレン（ＰＥ）、ポリプロピレン（ＰＰ）、ポリエステル（例えばポリエチレンテレフタレート（ＰＥＴ））、ポリアミド、ポリ乳酸、ポリブチレンサクシネート、アクリル樹脂、ウレタン樹脂、スチレンブタジエン共重合体、ポリビニルアルコール（ＰＶＡ）、エチレン−酢酸ビニル共重合体（ＥＶＡ）等の繊維が挙げられる。
【００１８】
スペーサー２５の素材としては、樹脂を主成分とする素材が好ましく、例えば、アクリル系樹脂（例えば、ポリメタクリル酸メチル(PMMA)、ポリアクリル酸メチル(PMA)等の、アクリル酸若しくはメタクリル酸又はそれらの酸のエステルを単量体とする樹脂）、塩化ビニル系樹脂（例えば、ポリ塩化ビニル等の、塩化ビニルを単量体とする樹脂）、ポリオレフィン系樹脂（例えば、ポリエチレン、ポリプロピレン等）などが挙げられる。
【００１９】
蒸散板２４は、垂直方向に複数枚、所定間隔を隔てて立設されている。また、蒸散板２４には、対向する辺である上部辺および下部辺にそれぞれ２箇所の嵌合溝２７が形成されている。スペーサー２５には、嵌合溝２７に嵌合し、蒸散板２４を所定間隔で配置させる複数の溝２８が形成されている。また、蒸散板２４の表面には、複数の円状の貫通した通気穴２９が形成されているが、通気穴２９の形状は円状でなくてもよく、蒸散板２４の表面に通気穴２９が形成されていなくてもよい。
【００２０】
さらに、スペーサー２５の端部には、ゴム２６が取り付けられる取付溝３０が形成され、取付溝３０に円環状のゴム２６を取り付けて対向するスペーサー２５の端部を連結させている。このとき、ゴム２６がスペーサー２５から容易に外れないように、ゴム２６とスペーサー２５の取付溝３０とを接着剤で固定することもできる。接着剤は、例えば、ホットメルト系接着剤を使用することが好ましい。ホットメルト系接着剤を構成する成分としては、例えば、ポリ酢酸ビニル樹脂、ポリビニルブチラール、アクリル樹脂、ポリアミド、エチレン−酢酸ビニル共重合体、エチレン−アクリル酸エステル共重合体等の熱可塑性プラスチック成分（上記熱可塑性プラスチック成分は、オレフィン系樹脂成分を包含する）；ロジン、ロジン誘導体等の天然樹脂成分；ブチルゴム、ポリイソブチレン等のゴム成分；などが挙げられる。
【００２１】
本実施形態では、スペーサー２５が蒸散板２４から外れないように、４本のスペーサー２５の端部を固定するゴム２６を取り付けている。ゴム２６は、蒸散板２４からスペーサー２５が離散するのを防いでいるが、ドレン水蒸散ユニット２３の変形に対し抵抗性を持たせるような役割はしていない。
【００２２】
スペーサー２５があることにより、ドレン水蒸散ユニット２３において纏まりを形成し、各蒸散板２４が動く場合にそれらの動きを揃えることができ、折り畳みが可能になる。なお、より纏まりを持たせるため、スペーサー２５の中央部も蒸散板２４に固定することもできる。ただし、接着剤等で固定する場合は、ドレン水蒸散ユニット２３の傾きを阻害しないよう接着剤をつけすぎないようにする必要がある。また、スペーサー２５の中央部をゴムで蒸散板２４に固定することもできる。
【００２３】
なお、本実施形態のドレン水蒸散ユニット２３は、その形状が固定されていないため、ドレン水受皿２２内に配置すると左右に傾くことにより、蒸散板２４の隙間の風の通り抜けが悪くなる恐れがある。そこで、ドレン水蒸散ユニット２３を使用する際は、ドレン水蒸散ユニット２３の傾きを阻害するような固定具を取り付けるのが望ましい。
【００２４】
図６は、本実施形態に係るドレン水蒸散ユニットの上面の拡大図である。図７は、本実施形態に係るドレン水蒸散ユニットの正面の拡大図である。図８は、本実施形態に係るドレン水蒸散ユニットの側面の拡大図である。図６ないし図７を用いて、本実施形態に係るドレン水蒸散ユニット２３の蒸散板２４とスペーサー２５との関係について説明する。
【００２５】
本実施形態の蒸散板２４の嵌合溝２７の幅Ｄは、従来に比べてスペーサー２５の厚さｄよりも大幅に間隔が空けられている。これにより、スペーサー２５に対して蒸散板２４の可動域が広がるため、蒸散板２４の一端を正面方向に傾け他端を背面方向に傾けて、ドレン水蒸散ユニット２３を折り畳むことができる。
【００２６】
本実施形態では、一例として、スペーサー２５の厚さｄが１．０ｍｍの場合、嵌合溝２７の幅Ｄは、１．１〜２ｍｍ程度が好ましい。また、スペーサー２５の厚さｄに対する嵌合溝２７の幅Ｄの比率は、幅Ｄ／厚さｄ=１．１〜２であることが好ましい。さらに、嵌合溝２７の幅Ｄを１．５ｍｍとし、スペーサー２５の厚さｄを１．０ｍｍとすると、よりスムーズに蒸散板２４を傾けてドレン水蒸散ユニット２３を折り畳むことができた。
【００２７】
なお、本実施形態の蒸散板２４には、暖房器具等と併用される気化式加湿器の加湿器用ユニットに使用するという用途もある。具体的には、暖房器具の使用に伴う室内の乾燥状態を回避し、室内を正常な湿度に保つため暖房器具の使用に際しては気化式加湿器などが併用されている。気化式加湿器は、水を入れた加湿皿中に、紙、繊維などの吸水性に富む吸水性材料から成形された加湿器用ユニットの端を漬け、あるいは加湿器用ユニットの上部から水を供給して、吸水性材料に水を含ませ、通気することにより、この吸水性材料に含まれる水分が蒸発気化して室内を加湿するものである。そこで、加湿器用ユニットの吸水性材料として本実施形態の蒸散板２４を用いることができる。
【００２８】
図９は、本実施形態に係るドレン水蒸散ユニットを折り畳んだ状態を示す図である。図９を用いて、本実施形態に係るドレン水蒸散装置２１のドレン水蒸散ユニット２３を折り畳む手順について説明する。
【００２９】
本実施形態では、一例として、図９の紙面上方をドレン水蒸散ユニット２３の正面方向とし、紙面下方をドレン水蒸散ユニット２３の背面方向として、蒸散板２４の左側端部を正面方向から背面方向へ傾け、同時に蒸散板２４の右側端部を背面方向から正面方向へ傾ける。
【００３０】
このとき、本実施形態の蒸散板２４の嵌合溝２７の幅Ｄは、スペーサー２５の厚さｄよりも大幅に間隔が空けられているため、蒸散板２４をスペーサー２５に対して傾けても嵌合溝２７とスペーサー２５とが接触して蒸散板２４の可動を妨げることがない。これにより、ドレン水蒸散ユニット２３の上面および下面の形状が平行四辺形となってドレン水蒸散ユニット２３を折り畳むことができ、ドレン水受皿２２内に配置する前のドレン水蒸散ユニット２３の搬送やドレン水蒸散ユニット２３の保管を、効率的かつ容易に行うことができる。
【００３１】
また、蒸散板２４とスペーサー２５とは、接着剤等で結合していないため、分解が容易であり、かさ張ることなく効率的にドレン水蒸散ユニット２３の使用後の廃棄や回収を行うことができる。
【００３２】
［実施形態２］
図１０は、本考案の実施形態２に係るドレン水蒸散ユニットの強度を補強する補強部材を装着した斜視図である。本実施形態のドレン水蒸散ユニットが実施形態１のドレン水蒸散ユニットと異なる点は、スペーサーに補強部材を装着している点である。図１１を用いて、本実施形態に係るドレン水蒸散ユニットに補強部材を装着する手法を説明する。
【００３３】
本実施形態の補強部材１０１は、水平方向が長手方向である矩形をしており、長手方向の長さは、蒸散板２４の幅と同程度である。さらに、補強部材１０１は、下端部にスペーサー２５に差し込むための差込溝１０２が所定間隔を空けて垂直方向に平行に２つ形成されている。差込溝１０２の間には、水平方向に折り目線１０３が形成され、折り目線１０３を谷折り線として、補強部材１０１の差込溝１０２間の差込方向端部から補強部材１０１を折り曲げることができる。
【００３４】
本実施形態の補強部材１０１は、まず、差込溝１０２がスペーサー２５の取付溝３０に勘合するようにスペーサー２５に差し込まれる。このとき、補強部材１０１は、ドレン水蒸散ユニット２３の端部の蒸散板２４に接するように差し込み、補強部材１０１の谷折部１０４は、蒸散板２４とスペーサー２５の端部を連結しているゴム２６との間に差し込まれる。
【００３５】
次に、谷折部１０４は、補強部材１０１がスペーサー２５に差し込まれた後に、折り目線１０３に沿って蒸散板２４から離れる方向に谷折で折り曲げる。補強部材１０１は、ドレン水蒸散ユニット２３の蒸散板２４の配列方向の両端に取り付けることができる。
【００３６】
これにより、実施形態１の効果に加えて、ドレン水蒸散ユニット２３の強度を補強することができるため、ドレン水蒸散ユニット２３をドレン水受皿２２内に配置した時の安定度を高めることができる。
【００３７】
［実施形態３］
図１１は、本考案の実施形態３に係るドレン水蒸散ユニットのスペーサーに樹脂片を装着した斜視図である。本実施形態のドレン水蒸散ユニットが実施形態１および２のドレン水蒸散ユニットと異なる点は、スペーサーに樹脂片を貼り付けている点である。図１１を用いて、本実施形態に係るドレン水蒸散ユニットの構成を説明する。
【００３８】
本実施形態のスペーサー２５には、蒸散板２４の嵌合溝２７に嵌合させる溝２８が形成されていない上部側面にスペーサー２５の長さと同程度で、かつスペーサー２５の幅の約半分の幅の樹脂片１１１が貼り付けられている。樹脂片１１１の両端部には、ゴム２６が取り付けられる取付溝１１２が形成され、樹脂片１１１をスペーサー２５に貼り付ける際には、樹脂片１１１の取付溝１１２とスペーサー２５の両端に形成されているゴム２６の取付溝３０との位置を一致させて貼り付けられる。
【００３９】
本実施形態のドレン水蒸散ユニット２３は、スペーサー２５に樹脂片１１１を貼り付けた後にスペーサー２５を蒸散板２４の嵌合溝２７に嵌合させ、その後に樹脂片１１１の取付溝１１２およびスペーサー２５の端部の取付溝３０にゴム２６が取り付けられる。
【００４０】
これにより、実施形態１の効果に加えて、スペーサー２５の強度（曲がりにくさ）を上げて補強することができるため、ドレン水蒸散ユニット２３をドレン水受皿２２内に配置した時の安定度を高めることができる。なお、樹脂片１１１をスペーサー２５に貼り付ける代わりに、嵌合溝２７とスペーサー２５とが接触して蒸散板２４の可動を妨げることがない範囲で、スペーサー２５の厚さを厚くすることもできる。
【００４１】
本考案のドレン水蒸散ユニットおよびドレン水蒸散装置の構造は、上述したような構成に限定されるわけではなく、実用新案登録請求の範囲に規定されたドレン水蒸散ユニットおよびドレン水蒸散装置の構成を含むものであれば、どのような構成であってもよい。なお、本考案の実施形態１ないし３のドレン水蒸散ユニット２３の形態は、互いに組み合わせることも可能である。
【符号の説明】
【００４２】
１１  冷凍ショーケース
１２  商品陳列部
１３  架台部
１４  天井部
１５  背面部
１６  陳列棚
２１  ドレン水蒸散装置
２２  ドレン水受皿
２３  ドレン水蒸散ユニット
２４  蒸散板
２５  スペーサー
２６  ゴム
２７  嵌合溝
２８  溝
２９  通気穴
３０、１１２  取付溝
Ｄ  嵌合溝の幅
ｄ  スペーサーの厚さ
１０１  補強部材
１０２  差込溝
１０３  折り目線
１０４  谷折部
１１１  樹脂片
【図１】
0003199834.tif 000003
【図２】
0003199834.tif 000004
【図３】
0003199834.tif 000005
【図４】
0003199834.tif 000006
【図５】
0003199834.tif 000007
【図６】
0003199834.tif 000008
【図７】
0003199834.tif 000009
【図８】
0003199834.tif 000010
【図９】
0003199834.tif 000011
【図１０】
0003199834.tif 000012
【図１１】
0003199834.tif 000013